(57)【要約】【課題】非折り返し部における脇合わせ部を切断してしまうことを防止するとともに、作業性の向上を図る。【解決手段】Ｔシャツ６の胴部７のうちヘム部５を除く非折り返し部７ｂを、縫製物の搬送方向における上メス１８の上流側から上メス１８の上側に案内する第１非折り返し部ガイド３３と、第１非折り返し部ガイド３３における案内部３３ａ４１ａのガイド面に対向して配置されて、非折り返し部７ｂの上面に当接して非折り返し部７ｂを第１非折り返し部ガイド３３に押さえる第２非折り返し部ガイド４１とを設けた。【選択図】      図１
2009219595.tif 000002
【特許請求の範囲】
【請求項１】
一端部が折り返された折り返し部を有する縫製物のうち、前記折り返し部を縫製物の搬送方向に沿って案内する折曲部ガイドと、
前記一端部の布端を前記搬送方向に沿って案内する布端ガイドと、
前記搬送方向における前記布端ガイドよりも下流側に配設され、前記布端を切断する上メスおよび下メスとを有する布端切断装置において、
前記搬送方向における前記上メスの上流側に配置され、前記縫製物のうち前記折り返し部を除く非折り返し部を、前記上メスの上側に案内する非折り返し部ガイドを設けたことを特徴とする布端切断装置。
【請求項２】
前記非折り返し部ガイドが、
前記非折り返し部の下面を支持する前記第１非折り返し部ガイドと、
前記第１非折り返し部ガイドにおける前記非折り返し部を案内するガイド面に対向して配置されて、前記非折り返し部の上面に当接して前記非折り返し部を前記第１非折り返し部ガイド側に押さえる第２非折り返し部ガイドと、を備えたことを特徴とする請求項１に記載の布端切断装置。
【請求項３】
前記第１非折り返し部ガイドおよび前記第２非折り返し部ガイドを、これらの第１非折り返し部ガイドおよび第２非折り返し部ガイドの各ガイド面の高さ位置がそれぞれ調節可能となるように取り付けたことを特徴とする請求項２に記載の布端切断装置。
【発明の詳細な説明】
【技術分野】
【０００１】
本発明は布端切断装置に係り、特に、一端部が折り返されて複数枚の縫製物が積層されている折り返し部を有する縫製物のうち、一端部の布端を切断する布端切断装置に関する。
【背景技術】
【０００２】
従来より、例えばＴシャツの胴部や袖部の裾部分等の一端部が折り返された縫製物について、該一端部分の布端を切断した後、折り返しによって複数枚の縫製物が積層されている折り返し部における前記布端の近傍を縫製する布端切断装置を備えたミシンが用いられている。
【０００３】
図６は、従来の布端切断装置５２を備えたミシン５１の一例を示す概略斜視図であり、図６に示すように、従来のミシン５１における布端切断装置５２は、縫製物５６の搬送方向におけるベッド部５３の針板５５より上流側に設けられている。
【０００４】
布端切断装置５２は、図７に示すような縫製物５６のうち一端部が折り返されて縫製物５６が２重に積層されている折り返し部５７を載置する載置台５８を有しており、載置台５８は、縫製物５６の載置面が針板５５と面一となるように配置されている。載置台５８の一側縁には、縫製物５６のうち折り返し部５７が形成されている一端部の布端５６ｃに当接して、布端５６ｃを案内する布端ガイド５９が立設されており、載置部の他側部分には、折り返し部５７における折曲部５７ａに当接して折曲部５７ａを案内する折曲部ガイド６０が、布端ガイド５９との間の寸法を調整可能に配置されている。
【０００５】
そして、ミシン５１は、折り返し部５７が布端ガイド５９と折曲部ガイド６０との間に位置された縫製物５６を、針板５５の下面に設けられた搬送部材６６によって所定の方向（図６においては奥の方向）に搬送するようになっている。
【０００６】
縫製物５６の搬送方向における布端ガイド５９よりも下流側には、一端部の布端５６ｃを切断する上メス６１および下メス６２が配設されている。下メス６２は、直線状に形成された切断部６２ａが、針板５５の側部側であって載置台５８の端部側において、縫製物５６の搬送方向に平行に針板５５および載置台５８の載置面と面一、若しくはわずかに下側に位置するように配設されている。また、上メス６１は、切断部６１ａが略Ｃ字状に形成されており、下メス６２に隣接して上メス６１の切断部６１ａが下メス６２の切断部６２ａに対して摺動するように回動可能に配設されている。この上メス６１は、縫製物５６の厚さに合った最適な切断条件とするために、上メス６１の回動における上死点の位置や駆動ストロークを調整することができるように、その配置位置を上下方向に調整可能に配設されている。
【０００７】
そして、上メス６１および下メス６２は、両メス６１、６２の間に搬送された布端５６ｃを切断するようになっている。このとき、縫製物５６における折り返し部５７を除く非折り返し部５６ａは、上メス６１の上面側を搬送されるようになっている。
【０００８】
針板５５の上方には、搬送された縫製物５６の折り返し部５７における布端５６ｃおよびその近傍を針板５５側に押さえる板状の押さえ部６３ａを備えた押さえ６３が上下動可能に配設されており、押さえ部６３ａの中央部には、貫通孔（図示せず）が形成されている。押さえ部６３ａにおける貫通孔の上方には、縫い糸が挿通された縫い針６５が上下動可能に配設されており、ミシン５１は、縫い針６５が下死点において押さえ部６３ａの貫通孔を介して折り返し部５７の布端近傍に挿通することにより、折り返し部５７における布端５６ｃの近傍を縫製するようになっている。
【０００９】
【特許文献１】特開２００２−５８８８９号公報
【発明の開示】
【発明が解決しようとする課題】
【００１０】
しかし、このようなミシン５１において、例えば、図８に示すＴシャツの胴部のような２箇所の脇合わせ部５６ｂを有する筒状の縫製物５６について、着心地や出来上がり等の観点から両脇合わせ部５６ｂを同一の身頃側に倒して、胴部における裾部分に形成された折り返し部５７における布端５６ｃの近傍を縫製する場合がある。このような場合、一方の脇合わせ部５６ｂは、縫製物５６の搬送方向における両メス６１、６２の上流側において脇合わせ部５６ｂの布端が両メス６１、６２に対向しないように倒れるが、図９に示すように、他方の脇合わせ部５６ｂは、脇合わせ部５６ｂの布端が縫製物５６の搬送方向における両メス６１、６２の上流側において両メス６１、６２に対向するように倒れることとなる。
【００１１】
ここで、縫製物５６の厚さに合わせて上メス６１の上死点が高い位置に設定されるように上メス６１が配置されている場合、上メス６１の切断部６１ａにおける上端部と布端ガイド５９の上布端との間に間隙が生じることがある。このような場合、前述のように脇合わせ部５６ｂの布端が両メス６１、６２に対向するように脇合わせ部５６ｂを倒して縫製物５６を搬送すると、脇合わせ部５６ｂの布端が上メス６１の切断部６１ａと布端ガイド５９との間隙に入り込んでしまい、この結果、該脇合わせ部５６ｂを上メス６１と下メス６２とによって切断してしまうおそれがあるという問題を有していた。
【００１２】
また、前述のような場合に、脇合わせ部５６ｂを切断しないようにするには、ミシン５１の操作者が縫製物５６における非折り返し部５６ａのみを上メス６１よりも上方に持ち上げながら縫製作業を行う必要があり、手間がかかって作業性が劣るとともに、熟練した操作者しか縫製することができなかった。
【００１３】
さらに、筒状の縫製物５６における折り返し部５７の布端５６ｃの近傍を縫製する際に、脇合わせ部５６ｂをきれいに仕上げるためには、前記搬送方向における押さえ６３よりも上流側において、脇合わせ部５６ｂを身頃側に確実に倒すことが必要があり、手間がかかって作業性が劣るとともに、熟練した操作者しか縫製することができなかった。
【００１４】
本発明はこれらの点に鑑みてなされたものであり、非折り返し部における脇合わせ部を切断してしまうことを防止するとともに、作業性の向上を図ることが可能な布端切断装置を提供することを目的とする。
【課題を解決するための手段】
【００１５】
前記目的を達成するため、請求項１に記載の発明に係る布端切断装置の特徴は、一端部が折り返された折り返し部を有する縫製物のうち、前記折り返し部を縫製物の搬送方向に沿って案内する折曲部ガイドと、前記一端部の布端を前記搬送方向に沿って案内する布端ガイドと、前記搬送方向における前記布端ガイドよりも下流側に配設され、前記布端を切断する上メスおよび下メスとを有する布端切断装置において、前記搬送方向における前記上メスの上流側に配置され、前記縫製物のうち前記折り返し部を除く非折り返し部を、前記上メスの上側に案内する非折り返し部ガイドを設けた点にある。
【００１６】
この請求項１に記載の布端切断装置によれば、非折り返し部ガイドによって、縫製物における非折り返し部を、前記搬送方向における上メスよりも上流側から上メスの上面側に案内することができる。このため、縫製物の搬送方向における上流側において縫製物における脇合わせ部の端部が両メスに対向するように脇合わせ部が倒れている場合であっても、非折り返し部における脇合わせ部が上メスおよび下メスの間に挟まってしまうことを確実に防止することができる。
【００１７】
請求項２に記載の発明に係る布端切断装置の特徴は、請求項１に記載の発明において、前記非折り返し部ガイドが、前記非折り返し部の下面を支持する前記第１非折り返し部ガイドと、前記第１非折り返し部ガイドにおける前記非折り返し部を案内するガイド面に対向して配置されて、前記非折り返し部の上面に当接して前記非折り返し部を前記第１非折り返し部ガイド側に押さえる第２非折り返し部ガイドと、を備えた点にある。
【００１８】
この請求項２に記載の布端切断装置によれば、第１非折り返し部ガイドおよび第２非折り返し部ガイドによって縫製物の非折り返し部を挟むことにより、非折り返し部における脇合わせ部を確実に倒すことができる。これにより、折り返し部の布端近傍を縫製する際に、脇合わせ部をきれいに仕上げることができ、また、操作者が脇合わせ部を身頃側に倒すという作業が不要となり、作業性の向上を図ることができる。
【００１９】
請求項３に記載の発明に係るミシンの特徴は、請求項２に記載の発明において、前記第１非折り返し部ガイドおよび前記第２非折り返し部ガイドを、これらの第１非折り返し部ガイドおよび第２非折り返し部ガイドの各ガイド面の高さ位置がそれぞれ調節可能となるように取り付けた点にある。
【００２０】
この請求項３に記載のミシンによれば、上死点の位置や駆動ストロークを調整するために上下動位置が変更可能な上メスの上面の高さ位置に合わせて、第１非折り返し部ガイドおよび第２非折り返し部ガイドのガイド面の高さ位置を調節することができる。
【発明の効果】
【００２１】
以上述べたように、本発明に係る布端切断装置およびミシンによれば、非折り返し部における脇合わせ部を切断してしまうことを防止することができ、また、非折り返し部における脇合わせ部を切断してしまうことを防止するためにこの脇合わせ部が両メスの間に挟まらないように、ミシンの操作者が非折り返し部のみを上メスよりも上方に持ち上げるという動作をする必要がなく、縫製の作業性の向上を図ることができる。
【発明を実施するための最良の形態】
【００２２】
以下、本発明に係る布端切断装置を備えたミシンの一実施形態を図１から図５を参照して説明する。ここで、本実施形態においては、縫製物として、２箇所の脇合わせ部を有し、裾部分が折り返されたＴシャツの胴部を用い、両脇合わせ部を同一の身頃側に倒しながら、裾部分の布端を切断し、折り返し部における布端近傍を縫製する場合について説明するが、本発明に適用される縫製物は、これに限定されるものではない。
【００２３】
図１は、本実施形態に係る布端切断装置を備えたミシンを示す概略斜視図、図２は、図１におけるミシンを矢印Ａ方向から視認した場合を示す概略平面図、図３は、図２におけるミシンのＢ−Ｂにおける概略断面図、図４は、図２におけるミシンのＣ−Ｃにおける概略断面図である。
【００２４】
図１に示すように、本実施形態に係る布端切断装置１を備えたミシン２は、縫製物を所定の方向（図１における左方向）に搬送しながら、裾部分７ａが折り返された折り返し部としてのヘム部５を有するＴシャツ６の胴部７のうち、裾部分７ａにおける布端７ｅの近傍を縫製するヘム縫いミシン２である。ここで、本実施形態においてヘム部５とは、折り返されて縫製物が２重に積層されている部分をいう。
【００２５】
ヘム縫いミシン２には、ベッド部９のうち縫製物の搬送方向における針板１０よりも上流側に、裾部分７ａの布端７ｅを切断する布端切断装置１が設けられている。布端切断装置１は、ヘム部５を載置する載置台１１を有しており、載置台１１は、基台１５の上面に設けられ、載置面が針板１０と面一となるように配置されている。
【００２６】
載置台１１における縫製物の搬送方向に平行する一側縁には、ヘム部５における裾部分７ａの布端７ｅに当接して布端７ｅを針板１０の方向に案内する布端ガイド１２が立設されている。図５に示すように、載置台１１の上面には、ヘム部５における折曲部５ａに当接して折曲部５ａを案内するために布端ガイド１２に対向するとともに載置台１１の上面に対して直交するように配置されたガイド部１３ａを備えた折曲部ガイド１３が設けられている。断面形状が略Ｌ字状に形成された折曲部ガイド１３における載置台１１に対向するガイド支持部１３ｂには、縫製物の搬送方向に対して直交する方向に長い長孔１３ｃが形成されており、載置台１１における長孔１３ｃに対向する部分には、図示しない長孔が形成されているとともに、基台１５における長孔１３ｃに対向する部分には、図示しない複数の固定用雌ねじが形成されている。
【００２７】
そして、折曲部ガイド１３は、長孔１３ｃを介して固定用雌ねじに螺着された固定ねじ１６によって基台１５に固定されており、固定ねじ１６が折曲部ガイド１３の長孔１３ｃに沿うようにして折曲部ガイド１３を載置台１１に対してスライド移動させて、折曲部ガイド１３の載置台１１に対する固定位置を変更することにより、ヘム部５の幅寸法に応じて布端ガイド１２と折曲部ガイド１３との間の寸法を調整することができるようになっている。
【００２８】
縫製物の搬送方向における布端ガイド１２よりも下流側には、胴部７における裾部分７ａの布端７ｅを切断する上メス１８および下メス１９が配設されている。下メス１９は、直線状に形成された切断部１９ａが、縫製物の搬送方向に平行し、かつ針板１０および載置台１１の載置面と面一、もしくはわずかに下側に位置するように配設されており、載置台１１の下方であって布端ガイド１２が形成されている一側縁側に設けられた支持部材２１に係合されている。
【００２９】
上メス１８は、略Ｃ字状に形成された切断部１８ａが下メス１９の切断部１９ａに隣接するように配置されており、載置台１１の一側縁側に配置された連結部材２２に固定ねじ２３を介して固定されている。連結部材２２は、支持部材２１に支持軸２５を介して取り付けられ、図示しない回動機構によって支持軸２５を軸として支持部材２１に対して回動可能とされており、これにより、上メス１８は、上メス１８の切断部１８ａが下メス１９の切断部１９ａに対して摺動するように回動可能とされている。
【００３０】
ねじ１００により上メス１８が取り付けられている連結部材２２は、係合された下メス１９の位置を動かすことなく支持軸２５に対して回動調節できるようになっており、この支持軸２５の回動調節によって、上メス１８は、その配置位置を略上下方向に調節可能とされている。これにより、布端切断装置１は、縫製物の厚さに合った最適な切断条件とするために、上メス１８の回動における上死点の位置や図示しない機構により駆動ストロークを調整することができるようになっている。
【００３１】
上メス１８における下メス１９と接する一側の反対側には、両メス１８、１９によって胴部７から切断された裾部分７ａの布端７ｅをヘム縫いミシン２の外部に案内する布屑ガイド２６が、上メス１８の他側縁の一部分に沿って設けられている。布屑ガイド２６は、固定ねじ２７によって連結部材２２に固着されており、これにより、連結部材２２を介して上メス１８とともに回動するようになっている。
【００３２】
布端ガイド１２における載置台１１に対向する一面と反対側の他面には、第１ガイド連結台２９が固定ねじ３０によって固着されており、第１ガイド連結台２９には、Ｔシャツ６の胴部７におけるヘム部５を除く非折り返し部７ｂを、縫製物の搬送方向における上メス１８の上流側から上メス１８の上面側に案内する板状の第１非折り返し部ガイド３３が取り付けられている。
【００３３】
第１非折り返し部ガイド３３は、上メス１８の上面の高さに位置する案内部３３ａと、前記搬送方向に対して直立方向に位置する連結部３３ｂとを有しており、連結部３３ｂには、上下方向に長い長孔３３ｃが形成されている。第１非折り返し部ガイド３３は、連結部３３ｂの長孔３３ｃに挿通された固定ねじ３５によって第１ガイド連結台２９に螺着され、布端ガイド１２に固着されている。そして、第１非折り返し部ガイド３３は、固定ねじ３５を連結部３３ｂの長孔３３ｃに沿わせるようにして第１ガイド連結台２９に対してスライド移動し、第１ガイド連結台２９に対する固定位置を上下方向に変更することにより、上メス１８の高さ位置に応じて第１非折り返し部ガイド３３の案内部３３ａにおける非折り返し部７ｂを案内するガイド面の高さ位置を調整することができるようになっている。
【００３４】
また、第１非折り返し部ガイド３３の案内部３３ａにおける前記搬送方向における上流側の布端と連結部３３ｂの上布端とは、搬送方向に対してから上へと傾斜する傾斜部３３ｄによって連結されており、これにより、第１非折り返し部ガイド３３は、この傾斜部３３ｄによって胴部７の非折り返し部７ｂを搬送方向に沿って円滑に上メス１８の上側に案内することが可能となる。
【００３５】
縫製物の搬送方向における両メス１８、１９の下流側であって針板１０の上方には、搬送された胴部７の布端７ｅおよびその近傍を針板１０に押さえる押さえ３７が、上下動可能に配設されており、押さえ３７は、ヘム部５における布端７ｅおよびその近傍を針板１０に押さえる板状の押さえ部３７ａを有している。押さえ部３７ａのうち縫製物の搬送方向における上流側の一端部分は上方に向かって湾曲して形成されており、押さえ部３７ａの中央部分には、貫通孔３７ｂが形成されている。
【００３６】
押さえ部３７ａにおける貫通孔３７ｂの上方には、縫い糸が挿通された縫い針３９が配置されており、縫い針３９は、上下動可能に配設された図示しない針棒の下方に装着されて、針棒の上下動に連動して上下動するようになっている。そして、ヘム縫いミシン２は、縫い針３９が下死点において押さえ部３７ａの貫通孔３７ｂを介してヘム部５における両メス１８、１９によって切断された切断端縁８ａの近傍に挿通することにより、ヘム部５における切断端縁８ａの近傍を縫製するようになっている。
【００３７】
押さえ３７のうち両メス１８、１９が配置されている側の一側面には、第２ガイド連結部４０が配置されており、第２ガイド連結部４０には、胴部７における非折り返し部７ｂの上面に対向して配置され、非折り返し部７ｂの上面に当接して非折り返し部７ｂを第１非折り返し部ガイド３３に押さえる第２非折り返し部ガイド４１が取り付けられている。この第２非折り返し部ガイド４１は、脇合わせ部７ｃを身頃７ｄに押し付けたり、縫製物のいろいろな厚み寸法に対応するという観点から、板ばね等の弾性部材により構成されていることが好ましい。
【００３８】
第２非折り返し部ガイド４１は、第１非折り返し部ガイド３３の案内部３３ａのガイド面、傾斜部３３ｄおよび上メス１８の上面に対向して位置する案内部４１ａと、前記搬送方向に対して直立方向に位置する連結部４１ｂと、案内部４１ａおよび連結部４１ｂを連結する平坦部４１ｃとを有しており、連結部４１ｂには、上下方向に長い長孔４１ｄが形成されている。第２非折り返し部ガイド４１は、連結部４１ｂの長孔４１ｄに挿通された固定ねじ４３によって第２ガイド連結部４０に対してスライド移動し、第２ガイド連結部４０に対する固定位置を上下方向に変更することにより、胴部７における脇合わせ部７ｃを含む非折り返し部７ｂの厚さに応じて第２非折り返し部ガイド４１の案内部４１ａのガイド面と第１非折り返し部ガイド３３の案内部３３ａのガイド面および上メス１８の上面との距離を調整することができるようになっている。
【００３９】
第２非折り返し部ガイド４１の案内部４１ａのうち縫製物の搬送方向における上流側の傾斜部３３ｄに対向する布端部分は、前記搬送方向に逆送する方向に下から上に向かって形成されており、これにより、胴部７の非折り返し部７ｂが第１非折り返し部ガイド３３と第２非折り返し部ガイド４１との間に円滑に搬送することができるようになっている。
【００４０】
針板１０のうち縫製物の搬送方向における縫い針３９の針落ち点よりも上流側には、複数の開口部４５が形成されており、各開口部４５の内部には、搬送部材４６が針板１０におけるＴシャツ６の胴部７が載置される載置面に位置するように縫製物の搬送方向に沿って往復動可能に配置されており、針板１０に載置された胴部７を所定の方向（図１における左方向）に搬送するようになっている。
【００４１】
次に、本実施形態の作用について説明する。
【００４２】
まず、ヘム縫いミシン２の操作者は、Ｔシャツ６の胴部７におけるヘム部５を、布端７ｅが布端ガイド１２に当接し折曲部５ａが折曲部ガイド１３に当接するように載置台するとともに、押さえ３７を上昇させてヘム部５を針板１０に載置する。また、胴部７における非折り返し部７ｂを第１非折り返し部ガイド３３および第２非折り返し部ガイド４１の間に配置して、押さえ３７を下降させる。
【００４３】
続いて、ヘム縫いミシン２における図示しない操作装置によって駆動開始の指示をヘム縫いミシン２に入力すると、ヘム縫いミシン２は、搬送部材４６を駆動して胴部７を搬送するとともに、連結台を介して上メス１８を回動させることにより上メス１８の切断部１８ａを下メス１９の切断部１９ａに摺動させて、搬送されたヘム部５における布端７ｅを切断する。
【００４４】
さらに、ヘム部５における布端７ｅを切断した切断端縁８ａおよびその近傍が、押さえ３７に押さえられながら針板１０における縫い針３９の針落ち点に到達すると、針棒とともに縫い糸が挿通された縫い針３９が上下動して押さえ３７の貫通孔３７ｂを介してヘム部５における切断端縁８ａの近傍に挿通する。これにより、ヘム縫いミシン２は、ヘム部５における切断端縁８ａの近傍を縫製する。
【００４５】
このとき、胴部７における非折り返し部７ｂは、第１非折り返し部ガイド３３および第２非折り返し部ガイド４１に挟まれて上メス１８の上面側に案内されながらヘム部５とともに搬送される。そして、胴部７における脇合わせ部７ｃの布端が縫製物の搬送方向における両メス１８、１９の上流側において両メス１８、１９に対向するように、前記脇合わせ部７ｃが倒れている場合であっても、非折り返し部７ｂにおける脇合わせ部７ｃは、第１非折り返し部ガイド３３によって上メス１８の上面側に案内された後、縫製物の搬送方向における両メス１８、１９よりも下流側において針板１０の近傍に搬送される。このとき、胴部７の非折り返し部７ｂにおける脇合わせ部７ｃは、第１非折り返し部ガイド３３および第２非折り返し部ガイド４１に挟まれて身頃７ｄ側に倒された後、針板１０の近傍に搬送される。
【００４６】
このように、本実施形態においては、第１非折り返し部ガイド３３によって、胴部７における非折り返し部７ｂを縫製物の搬送方向における上メス１８よりも上流側から上メス１８の上面側に案内することができるので、縫製物の搬送方向における両メス１８、１９よりも上流側において胴部７における脇合わせ部７ｃの端部が両メス１８、１９に対向するように、前記脇合わせ部７ｃが倒れている場合であっても、非折り返し部７ｂの脇合わせ部７ｃが上メス１８および下メス１９の間に挟まってしまうことを防止することができる。
【００４７】
したがって、本実施形態に係るヘム縫いミシン２は、非折り返し部７ｂの脇合わせ部７ｃを切断してしまうことを防止することができる。また、非折り返し部７ｂにおける脇合わせ部７ｃを切断してしまうことを防止するために、この脇合わせ部７ｃが両メス１８、１９の間に挟まらないように、ヘム縫いミシン２の操作者が胴部７における非折り返し部７ｂのみを上メス１８よりも上方に持ち上げるという動作をする必要がなく、縫製の作業性の向上を図ることができる。
【００４８】
さらに、このヘム縫いミシン２によれば、第１非折り返し部ガイド３３および第２非折り返し部ガイド４１によって胴部７の非折り返し部７ｂを挟むことにより、縫製物の搬送方向における押さえ３７よりも上流側において、非折り返し部７ｂにおける脇合わせ部７ｃを身頃７ｄ側に確実に倒すことができる。これにより、ヘム部５における切断端縁８ａの近傍を縫製する際に、脇合わせ部７ｃをきれいに仕上げることができ、また、縫製物の搬送方向における押さえ３７よりも上流側において操作者が脇合わせ部７ｃを身頃７ｄ側に倒すという作業が不要となり、作業性の向上を図ることができる。
【００４９】
さらにまた、第１非折り返し部ガイド３３の案内部３３ａにおける縫製物の搬送方向における上流側の布端と連結部３３ｂの上布端とを、前記搬送方向に沿って下から上へと傾斜する傾斜部３３ｄによって連結することにより、第１非折り返し部ガイド３３は、この傾斜部３３ｄによって胴部７の非折り返し部７ｂを搬送方向に沿って円滑に上メス１８の上側に案内することが可能となる。
【００５０】
また、第２非折り返し部ガイド４１の案内部４１ａのうち縫製物の搬送方向における上流側の傾斜部３３ｄに対向する布端部分を、前記搬送方向に沿って上から下に向かって形成することにより、胴部７の非折り返し部７ｂが第１非折り返し部ガイド３３と第２非折り返し部ガイド４１との間に円滑に搬送することができる。
【００５１】
さらに、第１非折り返し部ガイド３３の第１ガイド連結台２９に対する固定位置を、上下方向に変更可能とすることにより、回動における上死点の位置や駆動ストロークを調整するために上下動位置が変更可能な上メス１８の上面の高さ位置に合わせて第１非折り返し部ガイド３３の案内部３３ａのガイド面の高さ位置を調整することができる。
【００５２】
さらにまた、第２非折り返し部ガイド４１の第２ガイド連結部４０に対する固定位置を、上下方向に変更可能とすることにより、胴部７における非折り返し部７ｂの厚さに応じて第２非折り返し部ガイド４１の案内部４１ａのガイド面と第１非折り返し部ガイド３３の案内部３３ａのガイド面および上メス１８の上面との距離を調整することができる。
【００５３】
なお、本発明は前記実施形態に限定されるものではなく、必要に応じて種々変更することが可能である。
【００５４】
例えば、本実施形態においては、第１非折り返し部ガイド３３は、案内部３３ａ、連結部３３ｂ、および案内部３３ａと連結部３３ｂを連結する傾斜部３３ｄとを有しているが、本発明に使用される第１非折り返し部ガイド３３の形状は本実施形態に限定されるものではなく、非折り返し部７ｂを上メス１８よりも上流側から上メス１８の上面側に案内可能な形状であればよい。また、第２非折り返し部ガイド４１の形状も本実施形態の形状に限定されるものではなく、少なくとも第１非折り返し部ガイド３３の案内部３３ａに対向して配置されて、非折り返し部７ｂの上面に当接し、非折り返し部７ｂを第１非折り返し部ガイド３３に押さえる形状であればよい。
【図面の簡単な説明】
【００５５】
【図１】本発明に係る布端切断装置を備えたミシンを示す概略斜視図
【図２】図１におけるミシンを矢印Ａ方向から視認した場合を示す概略平面図
【図３】図２におけるミシンのＢ−Ｂにおける概略断面図
【図４】図２におけるミシンのＣ−Ｃにおける概略断面図
【図５】図１におけるミシンを矢印Ｄ方向から視認した場合を示す概略斜視図
【図６】従来の布端切断装置を備えたミシンの一例を示す概略斜視図
【図７】図６のミシンにおいて縫製される縫製物の非折り返し部の一例を示す概略斜視図
【図８】図７に示す縫製物の脇合わせ部を倒す方向を示す概略斜視図
【図９】図６のミシンにおける布端切断装置の両メスを示す概略断面図
【符号の説明】
【００５６】
１  布端切断装置
２  ミシン
９  ベッド部
１０  針板
１１  載置台
１２  布端ガイド
１８  上メス
１８ａ  切断部
１９  下メス
１９ａ  切断部
２９  第１ガイド連結台
３３  第１非折り返し部ガイド
３３ａ  案内部
３３ｂ  連結部
３３ｄ  傾斜部
３７  押さえ
３９  縫い針
４０  第２ガイド連結部
４１  第２非折り返し部ガイド
４１ａ  案内部
４１ｂ  連結部
４１ｃ  平坦部
【図１】
2009219595.tif 000003
【図２】
2009219595.tif 000004
【図３】
2009219595.tif 000005
【図４】
2009219595.tif 000006
【図５】
2009219595.tif 000007
【図６】
2009219595.tif 000008
【図７】
2009219595.tif 000009
【図８】
2009219595.tif 000010
【図９】
2009219595.tif 000011